(57)【要約】【課題】時刻を計時し、出力する計時回路及び計時装置に関し、出力時刻にオフセットを持たせることができる計時回路及び計時装置を提供することを目的とする。【解決手段】本発明は、時刻を計時するとともに、オフセット時間を設定がセットされ、計時部で計時されている時刻とオフセット時間とを加算した時刻を表示可能とされており、計時される時刻を修正する操作部の操作に応じてオフセット時間を任意に変更可能とされるとともに、操作部の操作に応じてオフセット時間を表示部に表示可能とされたことを特徴とする。【選択図】　図３
2004061445.tif 000002
【特許請求の範囲】
【請求項１】
時刻を計時する計時部と、
オフセット時間を設定するオフセット時間設定部と、
前記計時部で計時されている時刻と前記オフセット時間設定部に設定されているオフセット時間とを加算した時刻情報を出力する出力制御部とを有することを特徴とする計時回路。
【請求項２】
前記オフセット時間設定部は、外部からの指示に応じて前記オフセット時間を変更可能とされたことを特徴とする請求項１記載の計時回路。
【請求項３】
前記オフセット時間設定部は、前記計時部の計時時刻を修正する修正指示信号を用いて前記オフセット時間を設定可能とされたことを特徴とする請求項１又は２記載の計時回路。
【請求項４】
前記出力制御部は、前記オフセット時間設定部に設定されたオフセット時間情報を出力可能とされたことを特徴とする請求項１乃至３のいずれか一項記載の計時回路。
【請求項５】
前記出力制御部は、前記オフセット時間設定部に設定されたオフセット時間情報を前記時刻情報とは異なる表示となるように出力を制御することを特徴とする請求項１乃至４のいずれか一項記載の計時回路。
【請求項６】
前記出力制御部は、前記オフセット時間設定部に設定されたオフセット時間情報を所定時間毎に出力させることを特徴とする請求項１乃至５のいずれか一項記載の計時回路。
【請求項７】
時刻を計時するとともに、オフセット時間を設定がセットされ、前記計時部で計時されている時刻と前記オフセット時間とを加算した時刻情報を出力する制御部と、
前記出力部から出力された時刻情報に基づいて時刻を表示する表示部とを有することを特徴とする計時装置。
【請求項８】
前記制御部で計時される時刻を修正する操作部を有し、
前記制御部は、前記操作部の操作に応じて前記オフセット時間を変更可能としたことを特徴とする請求項７記載の計時装置。
【請求項９】
前記制御部は、前記操作部の操作に応じて前記オフセット時間情報を前記表示部に表示可能とされたことを特徴とする請求項８記載の計時装置。
【請求項１０】
前記制御部は、前記オフセット時間の前記表示部への表示を前記時刻情報とは異なる表示となるように制御することを特徴とする請求項７乃至９のいずれか一項記載の計時装置。
【請求項１１】
前記制御部は、前記オフセット時間を所定時間毎に前記表示部に表示させることを特徴とする請求項７乃至１０のいずれか一項記載の計時装置。
【発明の詳細な説明】
【０００１】
【発明の属する技術分野】
本発明は計時回路及び計時装置に係り、特に、時刻を計時し、時刻情報を出力する計時回路及び計時装置に関する。
【０００２】
【従来の技術】
図１は従来の計時装置の一例の説明図を示す。
【０００３】
計時装置１は、計時部１１、表示部１２及び操作部１３から構成される。制御部１１は、時間を計時して計時した時刻情報を表示部１２に表示させる。
【０００４】
表示部１２は、時桁表示部２１、分桁表示部２２、時分分割記号部２３から構成されている。時桁表示部２１には、時桁が表示される。分桁表示部２２には、分桁が表示される。時分分割記号部２３は、コロンなどの記号から構成され、時桁表示部２１と分桁表示部２２とを分割するための記号を表示する。
【０００５】
また、操作部１３は、時修正スイッチ３１、分修正スイッチ３２、セットスイッチ３３から構成されている。時修正スイッチ３１は、時間表示を修正するための操作スイッチである。分修正スイッチ３２は、分表示を修正するための操作スイッチである。また、セットスイッチ３３は、分表示を「００」にセットするための操作スイッチである。
【０００６】
上記のように従来の計時装置１は、計時時刻をそのまま表示する構成とされていた。
【０００７】
また、近年、標準電波を受信して、標準電波に含まれる時刻コードに基づいて計時装置１の表示時刻を修正し、正確な時刻を表示できるようにした電波時計が開発されている。
【０００８】
【発明が解決しようとする課題】
しかるに、従来の計時装置で、ユーザがユーザの生活パターン、例えば、遅刻に備えたり、時差のある地域の時刻を表示させたり、サマータイムを表示させたりする場合に、表示時刻を所定時間、進めたり、遅らせたり、すなわち、標準時刻からオフセットさせた時刻を設定した場合、ユーザが設定した時刻が表示されることになる。このとき、計時装置に表示されている時刻がオフセットされていることは、時刻をオフセットさせたユーザだけが知り得るものである。このため、オフセットが設定されていることを知らない人がこの計時装置の表示時刻を見た場合に、正確な時刻が表示されていると誤認識する恐れがあった。また、ユーザがどの程度オフセットさせたかを忘れてしまった場合には、表示時刻を再設定する必要があった。
【０００９】
また、電波時計などにおいては、標準電波に含まれる時刻コードに基づいて計時装置１の表示時刻を自動修正するため、ユーザがオフセットを設定しても標準電波が受信されると、正確な時刻に修正されてしまい、ユーザが任意にオフセット時間を設定できないなどの問題点があった。
【００１０】
さらに、電波時計においては、標準電波に含まれるサマータイム情報によって、サマータイムを自動的に切り替わる構成とされている。このため、サマータイムに移行しない時刻を表示することはできなかった。
【００１１】
本発明は上記の点に鑑みてなされたもので、計時時刻をオフセットさせることができる計時回路及び計時装置を提供することを目的とする。
【００１２】
【課題を解決するための手段】
本発明は、時刻を計時するとともに、オフセット時間を設定がセットされ、計時部で計時されている時刻とオフセット時間とを加算した時刻情報に基づいて時刻を表示する。
【００１３】
本発明は、計時される時刻を修正する操作部の操作に応じてオフセット時間を任意に変更可能としたことを特徴とする。
【００１４】
本発明によれば、ユーザが表示時刻にオフセット時間を任意に設定できるため、ユーザの生活パターンに適合した時刻表示を行える。
【００１５】
本発明は、操作部の操作に応じてオフセット時間情報を表示部に表示可能とされたことを特徴とする。
【００１６】
また、オフセット時間の表示部への表示を時刻情報とは異なる表示となるようにすることを特徴とする。
【００１７】
さらに、オフセット時間を所定時間毎に表示部に表示させることを特徴とする。
【００１８】
本発明によれば、時刻表示とオフセット時間表示とを異なる表示とすることにより、ユーザが時刻表示とそのオフセット時間表示とを識別できるため、ユーザが時刻とオフセット時間とを誤認識することを防止できる。
【００１９】
【発明の実施の形態】
図２は本発明の一実施例のブロック構成図を示す。
【００２０】
本実施例の計時装置１００は、アンテナ１１１、受信回路１１２、計時用ＩＣ（ｉｎｔｅｇｒａｔｅｄ　ｃｉｒｃｕｉｔ）１１３、時修正スイッチ１１４、分修正スイッチ１１５、セットスイッチ１１６、発振子１１７、表示器１１８を含む構成とされている。
【００２１】
アンテナ１１１は、標準電波を受信し、受信回路１１２に供給する。受信回路１１２は、アンテナ１１１からの標準電波を復調し、復調された信号を計時用ＩＣ１１３の端子Ｔ１に供給する。
【００２２】
計時用ＩＣ１１３は、一つのＩＣチップであり、端子Ｔ１〜Ｔ８を有する。端子Ｔ１には、受信回路１１２が接続され、受信回路１１２から標準電波を復調した信号が供給される。端子Ｔ２には、時修正スイッチ１１４が接続され、時修正指示信号が供給される。端子Ｔ３には、分修正スイッチ１１５が接続され、分修正指示信号が供給される。端子Ｔ４には、セットスイッチ１１６が接続され、セット指示信号が供給される。
【００２３】
端子Ｔ５と端子Ｔ６との間には発振子１１７が接続される。端子Ｔ７には、電源電圧Ｖｃｃが印加される。端子Ｔ８には、表示器１１８が接続され、表示信号が出力される。
【００２４】
次に特許請求の範囲の制御部に相当する計時用ＩＣ１１３について詳細に説明する。
【００２５】
図３は計時用ＩＣ１１３のブロック構成図を示す。
【００２６】
計時用ＩＣ１１３は、標準電波デコード回路１２１、時分修正回路１２２、時刻カウンタ１２３、受信状況カウンタ１２４、オフセットカウンタ１２５、加算器１２６、選択回路１２７、表示制御回路１２８、出力回路１２９、発振回路１３０、クロック生成回路１３１、電源生成回路１３２から構成されている。
【００２７】
標準電波デコード回路１２１には、受信回路１１２から端子Ｔ１に供給される標準電波に応じた信号が供給される。標準電波デコード回路１２１は、標準電波に応じた信号をデコードし、標準電波に含まれる時刻コードを抽出する。
【００２８】
標準電波デコード回路１２１で抽出された時刻コードは、時刻カウンタ１２３及び受信状況カウンタ１２４に供給される。時刻カウンタ１２３は、現在の時刻カウント値を標準電波デコード回路１２１から供給された時刻コードに変更する。
【００２９】
また、時刻カウンタ１２３は、時分修正回路１２２により時刻カウント値を修正可能とされている。時分修正回路１２２には、端子Ｔ２から時修正指示信号が供給され、端子Ｔ３から分修正指示信号が供給され、端子Ｔ４からセット指示信号が供給される。さらに、時分修正回路１２２には、表示制御回路１２８より表示状態切替信号が供給される。
【００３０】
時分修正回路１２２は、表示制御回路１２８からの表示状態切替信号が通常表示状態を示す信号であるときには、時分修正回路１２２は、通常表示状態時には、端子Ｔ２からの時修正指示信号に応じて時桁が１ステップずつカウントアップするように時刻カウンタ１２３のカウント値をカウントアップし、また、端子Ｔ３からの分修正指示信号に応じて分桁が１ステップずつカウントアップするように時刻カウンタ１２３のカウント値をカウントアップし、さらに、端子Ｔ４からのセット指示信号に応じて分桁が「００」となるように時刻カウンタ１２３のカウント値をセットする。これによって、時刻カウンタ１２３の出力時刻カウント値が標準電波の時刻コードに応じた時刻に変更できるとともに、手動で時刻カウンタ１２３の出力時刻カウント値を修正することができる。時刻カウンタ１２３の出力時刻カウント値は、加算器１２６に供給される。
【００３１】
また、時分修正回路１２２は、表示制御回路１２８からの表示状態切替信号がオフセット表示状態を示す信号であるときには、端子Ｔ２からの時修正指示信号に応じて時桁が１ステップずつカウントアップするようにオフセットカウンタ１２５のカウント値をカウントアップし、また、端子Ｔ３からの分修正指示信号に応じて分桁が１ステップずつカウントアップするようにオフセットカウンタ１２５のカウント値をカウントアップする。これによって、オフセットカウンタ１２５の出力オフセットカウント値が設定される。オフセットカウンタ１２５の出力オフセットカウント値は、加算器１２６及び選択回路１２７に供給される。
【００３２】
加算器１２６は、時刻カウンタ１２３の出力時刻カウント値とオフセットカウンタ１２５の出力オフセットカウント値とを加算する。加算器１２６により現在時刻にオフセットを持たせることができる。すわわち、所定時間だけ進めて表示させることが可能となる。加算器１２６の出力カウント値は、選択回路１２７に供給される。
【００３３】
選択回路１２７には、表示制御回路１２８から修正状況表示信号及び選択信号が供給される。選択回路１２７は、表示制御回路１２８からの選択信号が通常表示状態を選択する信号である時には、加算器１２６の出力カウント値を選択し、出力回路１２９に供給し、また、表示制御回路１２８からの選択信号が修正状況表示状態を選択する信号である時には、表示制御回路１２８から供給される修正状況表示信号を選択し、出力回路１２９に供給し、さらに、表示制御回路１２８からの選択信号がオフセット表示状態を選択する信号である時には、オフセットカウンタ１２５の出力オフセットカウント値を選択し、出力回路１２９に供給する。
【００３４】
出力回路１２９は、選択回路１２７で選択され、信号に基づいて表示器駆動信号を生成し、端子Ｔ８から出力する。例えば、出力回路１２９は、選択回路１２７から時刻カウント値が供給された場合には、表示器１１８に時刻カウント値に応じた時刻が表示されるように表示器１８を駆動する表示器駆動信号を生成する。
【００３５】
また、出力回路１２９は、選択回路１２７から修正状況表示信号が供給された場合には、表示器１１８に修正状況表示信号に応じた第１〜第４の修正状況表示が行われるように表示器１８を駆動する表示器駆動信号を生成する。なお、第１〜第４の修正状況表示については後で詳細に説明する。さらに、出力回路１２９は、選択回路１２７からオフセットカウント値が供給された場合には、表示器１１８にオフセットカウント値に応じたオフセット値が表示されるように表示器１８を駆動する表示器駆動信号を生成する。
【００３６】
また、受信状況カウンタ１２４は、標準電波デコード回路１２１で時刻コードが検出されると、リセットされ、カウントを開始する。受信状況カウンタ１２４のカウント値は、表示制御回路１２８に供給される。
【００３７】
表示制御回路１２８には、端子Ｔ２から時修正指示信号が供給され、端子Ｔ３から分修正指示信号が供給される。表示制御回路１２８は、端子Ｔ２から時修正指示信号及び端子Ｔ３から分修正指示信号に応じて表示状態の切り替えを行っている。
【００３８】
表示制御回路１２８は、通常表示状態の状態では、時分修正回路１２２により時刻カウンタ１２３の出力カウント値がカウントアップされるように表示状態切替信号によって時分修正回路１２２を制御している。表示制御回路１２８は、通常表示状態の状態で時修正指示信号と分修正指示信号とが略同時に供給されると、修正状況表示状態にする。表示制御回路１２８は修正状況表示状態では、受信状況カウンタ１２４からのカウント値、及び、修正状況フラグＦに応じて修正状況表示信号を生成し、選択回路１２７に供給するとともに、選択回路１２７により表示制御回路１２８からの修正状況表示信号が選択されるように選択回路１２７に選択信号を供給する。修正状況フラグＦは、受信時状況カウンタ１２４がリセットされるときに、「１」に設定され、端子Ｔ２〜端子Ｔ４から時修正指示信号、分修正指示信号、セット指示信号のいずれかが供給されると、「０」に設定される。
【００３９】
表示制御回路１２８は、修正状況表示状態で所定時間、例えば、６秒、経過すると、表示状態を自動的にオフセット表示状態にする。表示制御回路１２８は、オフセット表示状態では、時分修正回路１２２によりオフセットカウンタ１２５の出力オフセットカウント値がカウントアップされるように表示状態切替信号によって時分修正回路１２２を制御するとともに、選択回路１２７によりオフセットカウンタ１２５の出力オフセットカウント値が選択されるように選択回路１２７に選択信号を供給する。
【００４０】
表示制御回路１２８は、オフセット表示状態の状態で、端子Ｔ２からの時修正指示信号と端子Ｔ３からの分修正指示信号とが略同時に供給されるか、又は、端子Ｔ２からの時修正指示信号又は端子Ｔ３からの分修正指示信号が所定時間、例えば、１５秒供給されないと、通常表示状態に戻る。
【００４１】
さらに、表示制御回路１２８は、オフセット表示状態で、表示器１１８の表示を通常表示状態と異なる表示とするように出力回路１２９を制御する。なお、その詳細は後述する。
【００４２】
発振回路１３０は、端子Ｔ５、Ｔ６とに接続されており、計時用ＩＣ１１３の外部に接続される発振子１１７とともに、所定周波数の発振信号を生成する。発振回路１３０で生成された発振信号は、クロック生成回路１３１に供給される。クロック生成回路１３１は、発振回路１３０からの発振信号に基づいて各種クロックを生成し、計時用ＩＣ１３１の各部に供給する。
【００４３】
また、電源生成回路１３２には、端子Ｔ７から電源電圧Ｖｃｃが供給される。電源生成回路１３２は、電源電圧Ｖｃｃから所定の駆動電圧を生成し、計時用ＩＣ１３１の各部に供給する。
【００４４】
次に電波時計１００の状態遷移について詳細に説明する。
【００４５】
図４は本発明の一実施例の状態遷移図を示す。
【００４６】
まず、通常表示状態Ｓ１は、時刻カウンタ１２３の出力カウント値にオフセットカウンタ１２５の出力オフセットカウント値を加算したカウント値に応じた時刻が表示器１１８に表示された状態である。
【００４７】
図５はオフセット表示動作を説明するための図を示す。
【００４８】
図５に示すように時刻カウンタ１２３の出力カウント値に応じた時刻情報が「１５：１５」であり、オフセットカウンタ１２５の出力カウント値に応じたオフセット時間が「００：０５」、すなわち、５分間のオフセットを持たせたときには、加算器１２６により時刻カウンタ１２３の出力カウント値とオフセットカウンタ１２５の出力オフセットカウント値とが加算され、表示器１１８には加算結果に応じた時刻「１５：１５」が表示される。
【００４９】
本実施例の電波時計１００では、表示器１１８に実際の時刻にオフセットを持たせた時刻を表示することが可能である。なお、外国の時刻との時差分のオフセットを持たせることにより外国の時刻を表示させることもできる。
【００５０】
また、通常表示状態Ｓ１では、時分分割記号部２３が１秒毎に点滅される。
【００５１】
図６は通常表示状態Ｓ１の時刻表示を説明するための図を示す。
【００５２】
図６（Ａ）に示すように時分分割記号部２３が点灯した表示状態が１秒間持続した後に、図６（Ｂ）に示すように時分分割記号部２３が消灯した表示状態が１秒間持続し、図６（Ａ）と図６（Ｂ）との表示状態が交互に表示される。なお、時桁表示部２１及び分桁表示部２２は、点灯状態を持続する。
【００５３】
通常表示状態Ｓ１で時修正スイッチ１１４がオンされると、時桁送りを行う時桁送り状態Ｓ２となる。時桁送り状態Ｓ２は、時刻カウンタ１２３の出力カウント値の時桁を１ステップ分、カウントアップする状態であり、表示器１１８の時桁が１時間分アップする。
【００５４】
時桁送り状態Ｓ２で、直ぐに時修正スイッチ１１４がオフされると、通常表示状態Ｓ１に戻る。さらに、時桁送り状態Ｓ２で、継続して時修正スイッチ１１４がオンされると、時桁早送り状態Ｓ３となる。時桁早送り状態Ｓ３は、時刻カウンタ１２３の出力時刻カウント値を早送りでカウントアップする状態であり、表示器１１８の時桁が早送りでアップされる。時桁送り状態Ｓ４及び時桁早送り状態Ｓ３から時修正スイッチ１１４がオフされると、通常表示状態Ｓ１に戻る。
【００５５】
また、通常表示状態Ｓ１で分修正スイッチ１１５がオンされると、分桁送りを行う分桁送り状態Ｓ４となる。分桁送り状態Ｓ４は、時刻カウンタ１２３の出力カウント値の分桁を１ステップ分、カウントアップする状態であり、表示器１１８の分桁が１分間分アップされる。
【００５６】
分桁送り状態Ｓ４で、直ぐに分修正スイッチ１１５がオフされると、通常表示状態Ｓ１に戻る。さらに、分桁送り状態Ｓ４で、継続して分修正スイッチ１１５がオンされると、分桁早送り状態Ｓ５となる。分桁早送り状態Ｓ５は、時刻カウンタ１２３の出力時刻カウント値を早送りでカウントアップする状態であり、表示器１１８の分桁が早送りでアップされる。分桁送り状態Ｓ４及び分桁早送り状態Ｓ５から分修正スイッチ１１５がオフされると、通常表示状態Ｓ１に戻る。
【００５７】
また、通常表示状態Ｓ１でセットスイッチ１１６がオンされると、００分セット状態Ｓ６となる。００分セット状態Ｓ６は、時刻カウンタ１２３の出力カウント値の分桁を「０」にセットする状態であり、表示器１１８の分桁が「００」とされる。なお、このとき、分桁の値によって時桁の値を１カウント加算するようにしてもよい。００分セット状態Ｓ６で、セットスイッチ１１６がオフされると、通常表示状態Ｓ１に戻る。
【００５８】
さらに、通常表示状態Ｓ１で時修正スイッチ１１４と分修正スイッチ１１５とが略同時にオンされると、修正状況表示状態Ｓ７になる。修正状況表示状態Ｓ７は、時刻カウンタ１２３の出力時刻カウント値が標準電波によって修正されたものか、時修正スイッチ１１４及び分修正スイッチ１１５によって修正されたものかを表示器１１８に表示する状態であり、第１〜第４の状況表示状態が存在する。
【００５９】
ここで、表示制御回路１２９の修正状況表示状態Ｓ７における処理について詳細に説明する。
【００６０】
図７は表示制御回路１２９の修正状況表示処理のフローチャート、図８は第１〜第４の修正状況表示の表示例を示す図である。図８（Ａ）は第１の修正状況表示、図８（Ｂ）は第２の修正状況表示、図８（Ｃ）は第３の修正状況表示、図８（Ｄ）は第４の修正状況表示を示す。同図中、図１と同一構成部分には同一符号を付し、その説明は省略する。
【００６１】
表示制御回路１２９は、修正状況表示状態Ｓ７になると、ステップＳ７−１でまず、表示制御回路１２９の内部にセットされる修正状況フラグＦを参照して、時刻カウンタ１２３の出力カウント値の最終修正が標準電波によるものか否かを判定する。
【００６２】
表示制御回路１２９は、ステップＳ７−１で、修正状況フラグＦが「１」であり、時刻カウンタ１２３の出力カウント値の最終修正が標準電波によるものである場合には、ステップＳ７−２で受信状況カウンタ１２４の出力カウント値を参照して、受信状況カウンタ１２４の出力カウント値が所定時間Ｔ０、例えば、１４４時間以内か否かを判定する。所定時間Ｔ０は、例えば、無修正時における表示時刻の誤差が所望の許容範囲内に存在することができる時間に応じて設定される。
【００６３】
表示制御回路１２９は、ステップＳ７−２で受信状況カウンタ１２４の出力カウント値が所定時間Ｔ０以内であれば、ステップＳ７−３で表示器１１８の表示が図８（Ａ）に示すような第１の修正状況表示となるような修正状況表示信号を選択回路１２７に供給する。これにより、過去、所定時間Ｔ０以内に標準電波により時刻修正が行われたことがわかる。また、表示制御回路１２９は、ステップＳ７−２で受信状況カウンタ１２４の出力カウント値が所定時間Ｔ０を超えている場合は、ステップＳ７−４で表示器１１８の表示が図８（Ｂ）に示すような第２の修正状況表示となるような修正状況表示信号を選択回路１２７に供給する。これによって長時間、標準電波により時刻修正が行われていないことが分かる。
【００６４】
さらに、表示制御回路１２９は、ステップＳ７−１で、修正状況フラグＦが「０」であり、時刻カウンタ１２３の出力カウント値の最終修正が時修正スイッチ１１４、及び、分修正スイッチ１１５によるものである場合には、ステップＳ７−５で受信状況カウンタ１２４の出力カウント値を参照して、受信状況カウンタ１２４の出力カウント値が所定時間Ｔ０、例えば、１４４時間以内か否かを判定する。
【００６５】
表示制御回路１２９は、ステップＳ７−５で受信状況カウンタ１２４の出力カウント値が所定時間Ｔ０以内であれば、ステップＳ７−６で表示器１１８の表示が図８（Ｃ）に示すような第３の修正状況表示となるような修正状況表示信号を選択回路１２７に供給する。ユーザは、第３の修正状況表示を見ることにより、時修正スイッチ１１４、及び、分修正スイッチ１１５により最後に時刻修正が行われたことが分かる。
【００６６】
また、表示制御回路１２９は、ステップＳ７−５で受信状況カウンタ１２４の出力カウント値が所定時間Ｔ０を超えている場合は、ステップＳ７−７で表示器１１８の表示が図８（Ｄ）に示すような第４の修正状況表示となるような修正状況表示信号を選択回路１２７に供給する。ユーザは、第４の修正状況表示を見ることによって、時修正スイッチ１１４、及び、分修正スイッチ１１５により最後に時刻修正が行われており、かつ、長時間、標準電波による時刻修正が行われていないことが分かる。
【００６７】
なお、上記第１〜第４の修正状況表示は、図８（Ａ）〜（Ｄ）に示すように時分分割記号部２３及び時桁表示部２１の時分分割記号部２３側の桁を非表示とした、時刻表示とは明らかに異なる表示とされている。
【００６８】
以上のように、本実施例の電波時計１００は、時修正スイッチ１１４と分修正スイッチ１１５とを略同時にオンすることによって、表示器１１８の表示状態を修正表示状態とすることができ、ユーザがこの表示器１１８に表示された修正表示を見ることにより、現在の時刻が標準電波による修正によるものか、手動による修正によるものかを容易に認識できる。よって、ユーザは現在の時刻が狂っていた場合に修正表示を見ることで、その狂いが装置の誤動作によるものか、ユーザの誤操作によるものかを容易に判断できる。
【００６９】
ここで、図４に戻って説明を続ける。
【００７０】
表示制御回路１２８は、修正状況表示状態Ｓ７で６秒経過すると、オフセット表示状態Ｓ８になる。オフセット表示状態Ｓ８は、オフセットカウンタ１２５の出力オフセットカウント値を表示器１１８に表示する状態である。
【００７１】
このとき、通常表示状態Ｓ１で表示される時刻とオフセット表示状態Ｓ８で表示されるオフセット時間とをユーザが容易に認識できるようにするために、通常表示状態Ｓ１で表示される時刻とオフセット表示状態Ｓ８で表示されるオフセット時間とでその表示状態を異ならせている。表示状態を異ならせる制御は、例えば、表示制御回路１２８により出力回路１２９を制御することにより行われる。
【００７２】
例えば、オフセット表示状態Ｓ８では、図６（Ａ）に示す表示状態を持続し、時分分割記号部２３を常時点灯させる。これによって、通常表示状態Ｓ１では時分分割記号部２３は秒進に応じて点滅し、オフセット表示状態Ｓ８では時分分割記号２３は常時点灯状態とされ、ユーザは時刻表示とオフセット時間表示とを容易に認識できるようになる。
【００７３】
なお、オフセット表示状態Ｓ８でオフセット時間の全表示を点滅させるようにすることによっても表示状態を異ならせることができる。
【００７４】
図９はオフセット表示の第１変形例の処理フローチャート、図１０はオフセット表示時の第１変形例の表示例を示す図である。
【００７５】
表示制御回路１２８は、ステップＳ１１−１で出力回路１２９に全点灯信号を供給する。出力回路１２９は、表示制御回路１２８から全点灯信号が供給されると、表示器１１８に図１０（Ａ）に示すように時桁表示部２１にオフセット時間の時桁、分桁表示部２２にオフセット時間の分桁、時分分割記号部２３のすべてを点灯状態とする。なお、図１０（Ａ）はオフセット時間が５分間の場合の表示例を示している。
【００７６】
次に表示制御回路１２８は、ステップＳ１１−２で全点灯状態が所定時間Ｔ１１、例えば、１秒間経過したか否かを判定する。表示制御回路１２８は、ステップＳ１１−２で全点灯状態が所定時間Ｔ１１経過したと判定すると、ステップＳ１１−３で出力回路１２９に全消灯指示信号を供給する。出力回路１２９は、表示制御回路１２８から全消灯指示信号が供給されると、表示器１１８の表示をすべて消灯状態とする。
【００７７】
次に表示制御回路１２８は、ステップＳ１１−４で全消灯状態が所定時間Ｔ１１、例えば、１秒間経過したか否かを判定する。表示制御回路１２８は、ステップＳ１１−４で全点灯状態が所定時間Ｔ１１経過したと判定すると、ステップＳ１１−１にリターンして出力回路１２９に全点灯指示信号を供給する。
【００７８】
上記処理を繰り返すことによりオフセット時間の全点灯と全消灯とが１秒毎に繰り返される。これによって、ユーザは、オフセット表示であることを認識できる。
【００７９】
また、表示器１１８にオフセット表示であることを示す表示を設けてもよい。
【００８０】
図１１はオフセット表示時の第２変形例の処理フローチャート、図１２はその表示例を示す図である。図１２（Ａ）は通常表示時、図１２（Ｂ）はオフセット表示時の表示例を示す。
【００８１】
表示制御回路１２８は、ステップＳ１２−１でオフセット表示状態Ｓ８になると、ステップＳ１２−２で出力回路１２９にオフセット表示点灯指示信号を送出する。出力回路１２９は、表示制御回路１２８からのオフセット表示点灯指示信号に基づいて図１２（Ｂ）に示すように表示器１１８のオフセット表示部２４を点灯して「ＯＦＦＳＥＴ」を表示する。ユーザは、この「ＯＦＦＳＥＴ」を見ることによって、オフセット時間が表示されていることを認識することができる。また、表示器にオフセット時間を表示するための表示部を設けるようにしてもよい。
【００８２】
図１３はオフセット表示の第３変形例の表示例を示す図である。
【００８３】
本変形例の表示器２１１は、時刻表示部２２１とオフセット時間表示部２２２から構成される。時刻表示部２２１には、加算器１２６の出力カウント値に応じた時刻が表示される。また、オフセット時間表示部２２２には、オフセットカウンタ１２５の出力オフセットカウント値に応じた時間が表示される。
【００８４】
本変形例によれば、時刻とそのオフセット時間との両方が表示されるため、ユーザは表示時刻とオフセット時間とから実際の時刻を容易に認識できる。
【００８５】
オフセット表示状態Ｓ８で時修正スイッチ１１４がオンされると、時桁送り状態Ｓ９となる。時桁送り状態Ｓ９は、オフセットカウンタ１２５の出力オフセットカウント値の時桁を１ステップ分、カウントアップする状態であり、表示器１１８の時桁が１時間分アップする。
【００８６】
時桁送り状態Ｓ９で、直ぐに時修正スイッチ１１４がオフされると、オフセット表示状態Ｓ８に戻る。さらに、時桁送り状態Ｓ９で、継続して時修正スイッチ１１４がオンされると、時桁早送り状態Ｓ１０となる。時桁早送り状態Ｓ１０は、オフセットカウンタ１２５の出力時刻カウント値を早送りでカウントアップする状態であり、表示器１１８の時桁が早送りでアップされる。時桁送り状態Ｓ９９及び時桁早送り状態Ｓ１０から時修正スイッチ１１４がオフされると、オフセット表示状態Ｓ８に戻る。
【００８７】
また、オフセット表示状態Ｓ８で分修正スイッチ１１５がオンされると、分桁送りを行う分桁送り状態Ｓ１１となる。分桁送り状態Ｓ１１は、オフセットカウンタ１２５の出力カウント値の分桁を１ステップ分、カウントアップする状態であり、表示器１１８の分桁が１分間分アップされる。
【００８８】
分桁送り状態Ｓ１１で、直ぐに分修正スイッチ１１５がオフされると、オフセット表示状態Ｓ８に戻る。さらに、分桁送り状態Ｓ１１で、継続して分修正スイッチ１１５がオンされると、分桁早送り状態Ｓ１２となる。分桁早送り状態Ｓ１２は、オフセットカウンタ１２５の出力オフセットカウント値を早送りでカウントアップする状態であり、表示器１１８の分桁が早送りでアップされる。分桁送り状態Ｓ１１、及び、分桁早送り状態Ｓ１２から分修正スイッチ１１５がオフされると、オフセット表示状態Ｓ８に戻る。
【００８９】
また、オフセット表示状態Ｓ８で、時修正スイッチ１１４及び分修正スイッチ１１５がオンされることなく１５秒経過、あるいは、時修正スイッチ１１４及び分修正スイッチ１１５を略同時にオンさせると、通常表示状態Ｓ１に戻る。
【００９０】
本実施例によれば、ユーザが表示時刻にオフセット時間を任意に設定できるため、ユーザの生活パターンに適合した時刻表示を行える。
【００９１】
また、本実施例によれば、時刻表示とオフセット時間表示とを異なる表示とすることにより、ユーザが時刻表示とそのオフセット時間表示とを識別できるため、ユーザが時刻とオフセット時間とを誤認識することを防止できる。
【００９２】
さらに、本実施例によれば、時刻カウンタ１２３では、標準電波により修正が行われ、正確な時刻をカウントしているため、オフセット時間を解除することで、容易にオフセットのない正確な時間を表示させることができる。
【００９３】
また、通常表示状態、修正表示状態、オフセット表示状態の切り替えも従来と同様な時修正スイッチ１１４、分修正スイッチ１１５、セットスイッチ１１６の操作により行える。よって、簡単な構成で実現できる。
【００９４】
さらに、修正表示状態時、図６に示すような時刻表示とは明らかに異なる表示を行い、修正状況を表示することにより、表示器１１８を従来と同様な時刻表示のみの構成にできるため、簡単な構成で実現できる。また、時計として必要最小限の表示形態であるので、小型化が可能となる。
【００９５】
なお、ユーザがオフセット時間を認識できるようにするために、所定時間毎に自動的にオフセット時間を表示するようにしてもよい。
【００９６】
図１４はオフセット表示の第４変形例の処理フローチャートを示す。
【００９７】
表示制御回路１２８は、ステップＳ１３−１で通常表示状態としている。表示制御回路１２８は、ステップＳ１３−２でユーザにより修正状況表示操作が行われると、ステップＳ１３−３で表示状態を修正状況表示状態に移行させる。表示制御回路１２８は、ステップＳ１３−４で所定時間Ｔ１１、例えば、６秒経過すると、ステップＳ１３−５で表示状態をオフセット表示状態に移行させる。
【００９８】
表示制御回路１２８は、ステップＳ１３−６でオフセット表示を解除するための操作が行われると、表示状態をステップＳ１３−１の通常表示状態に移行させる。また、表示制御回路１２８は、ステップＳ１３−６でオフセット表示解除操作を行わない場合でも、ステップＳ１３−６で所定時間Ｔ１２、例えば、１５秒経過すると、表示状態をステップＳ１３−１の通常表示状態に移行させる。
【００９９】
以上は、図４に示す状態遷移図と同様な動作である。
【０１００】
本変形例は、表示制御回路１２８がステップＳ１３−８で通常表示状態が所定時間Ｔ１３、例えば、１時間経過すると、表示状態をステップＳ１３−５のオフセット表示状態に自動的に移行させるものである。
【０１０１】
本変形例によれば、所定時間、１時間毎にオフセット表示状態に移行され、自動的にオフセット時間が表示されるため、ユーザは定期的にオフセット時間を認識できる。よって、ユーザがオフセット時間を誤認識することを防止できる。
【０１０２】
なお、本実施例では、計時装置として車載用の電波時計を例に説明を行ったが、これに限定されるものではなく、通常の時計に適用することもできる。
【０１０３】
【発明の効果】
上述の如く、本発明によれば、ユーザが表示時刻にオフセット時間を任意に設定できるため、ユーザの生活パターンに適合した時刻表示を行える等の特長を有する。
【０１０４】
また、本発明によれば、時刻表示とオフセット時間表示とを異なる表示とすることにより、ユーザが時刻表示とそのオフセット時間表示とを識別できるため、ユーザが時刻とオフセット時間とを誤認識することを防止できる等の特長を有する。
【図面の簡単な説明】
【図１】計時装置の外観図である。
【図２】本発明の一実施例のブロック構成図である。
【図３】計時用ＩＣ１１３のブロック構成図である。
【図４】本発明の一実施例の状態遷移図である。
【図５】表示制御回路１２９の修正状況表示処理のフローチャートである。
【図６】第１〜第４の修正状況表示の表示例を示す図である。
【図７】表示制御回路１２９の修正状況表示処理のフローチャートである。
【図８】第１〜第４の修正状況表示の表示例を示す図である。
【図９】オフセット表示時の第１変形例の処理フローチャートである。
【図１０】オフセット表示時の第１変形例の表示例を示す図である。
【図１１】オフセット表示時の第２変形例の処理フローチャートである。
【図１２】オフセット表示時の第２変形例の表示例を示す図である。
【図１３】オフセット表示の第３変形例を示す図である。
【図１４】オフセット表示の第４変形例の処理フローチャートである。
【符号の説明】
１００：電波時計
１１１：アンテナ、１１２：受信回路、１１３：計時ＩＣ
１１４：時修正スイッチ、１１５：分修正スイッチ、１１６：セットスイッチ
１１７：発振素子、１１８：表示器
１２１：標準電波でコード回路、１２２：時分修正回路
１２３：時刻カウンタ、１２４：受信状況カウンタ
１２５：オフセットカウンタ、１２６：加算器、１２７：選択回路
１２８：表示制御回路、１２９：出力回路、１３０：発振回路
１３１：クロック生成回路、１３２：電源生成回路
【図１】
2004061445.tif 000003
【図２】
2004061445.tif 000004
【図３】
2004061445.tif 000005
【図４】
2004061445.tif 000006
【図５】
2004061445.tif 000007
【図６】
2004061445.tif 000008
【図７】
2004061445.tif 000009
【図８】
2004061445.tif 000010
【図９】
2004061445.tif 000011
【図１０】
2004061445.tif 000012
【図１１】
2004061445.tif 000013
【図１２】
2004061445.tif 000014
【図１３】
2004061445.tif 000015
【図１４】
2004061445.tif 000016